(57)【要約】【課題】上部レールに組み込まれるランナーと扉板側に取り付けられるランナーホルダーとを、容易かつ適切に組み付け合わすことができるようにする。【解決手段】ランナーホルダー２は、扉板Ｄ’への取り付け部２０と、前方から吊り下げ軸１２の頭部１３を受け入れる保持凹部２１と、溝前端を開放させると共に、保持凹部２１の上部に連通した吊り下げ軸１２の頭部１３の太さよりも溝巾を狭くした吊り下げ軸１２の通し溝２２とを備えている。保持凹部２１内には、保持凹部２１内への吊り下げ軸１２の頭部１３の入れ込みに伴って頭部１３に突き当てられて一旦保持凹部２１の外方に向けて後退した後、保持凹部２１内に頭部１３を入れ込み切った位置でこの後退前の位置に弾発状に戻されて頭部１３における保持凹部２１の入り口側に向けられた側に掛合されるロック片２３が備えられている。【選択図】図５
2006028833.tif 000002
【特許請求の範囲】
【請求項１】
折り畳み扉などを構成する扉板を、上部レールに沿って移動可能にこの上部レールに吊り下げ状に支持させる装置であって、
ランナーと、ランナーホルダーとを備えており、
ランナーは、
上部レール内に走行可能に入れ込まれるランナー本体と、
このランナー本体の下部から下方に突き出すように設けられる吊り下げ軸とを有しており、
この吊り下げ軸の下端部には頭部が形成されていると共に、
この吊り下げ軸の軸線を中心として吊り下げ軸又は頭部が回転可能とされており、
ランナーホルダーは、
扉板への取り付け部と、
前方から吊り下げ軸の頭部を受け入れる保持凹部と、
溝前端を開放させると共に、保持凹部の上部に連通した吊り下げ軸の頭部の太さよりも溝巾を狭くした吊り下げ軸の通し溝とを備えており、
しかも、保持凹部内には、この保持凹部内への吊り下げ軸の頭部の入れ込みに伴ってこの頭部に突き当てられて一旦保持凹部の外方に向けて後退した後、この保持凹部内に頭部を入れ込み切った位置でこの後退前の位置に弾発状に戻されてこの頭部における保持凹部の入り口側に向けられた側に掛合されるロック片が備えられていることを特徴とする扉板の吊り下げ装置。
【請求項２】
ランナーホルダーが、ホルダーベースと、このホルダーベースに設けられたスライド凹部内に上下方向にスライド移動可能に組み込まれたスライダとを有しており、
このホルダーベースに扉板への取り付け部が設けられ、
このスライダに保持凹部と通し溝とが設けられており、
しかも、ホルダーベースのスライド凹部の左右側壁にそれぞれ、セットアップ用掛合部と、このセットアップ用掛合部よりも上方に位置されるプレセット用掛合部とが設けられていると共に、
スライダの左右外側部にそれぞれ、プレセット用掛合部に掛合されると共に、スライダの下方への押し込みによってこの掛合を一旦解いた後セットアップ用掛合部に掛合されて吊り下げ状に支持された扉板の下端レベルを上昇させる被掛合部が設けられていることを特徴とする請求項１記載の扉板の吊り下げ装置。
【請求項３】
ランナーのランナー本体内に、
このランナー本体内に回転可能に保持されると共に、吊り下げ軸の上端部に形成された雄ネジ部に螺合してこの吊り下げ軸を支持するナット体と、
下方からの操作によって回転されると共に、この回転によってナット体を連れ回りさせて吊り下げ軸を昇降させる回転操作体とが組み込まれていることを特徴とする請求項１又は請求項２記載の扉板の吊り下げ装置。
【請求項４】
ランナーホルダーが、ホルダーベースと、このホルダーベースに設けられたスライド凹部内に上下方向にスライド移動可能に組み込まれたスライダとを有しており、
このホルダーベースに扉板への取り付け部が設けられ、
このスライダに保持凹部と通し溝とが設けられており、
しかも、ホルダーベースに、このホルダーベースの下部にネジ頭を臨ませた状態でこのホルダーベースの下部に回転可能に支持されると共に、スライダに形成されたネジ穴に軸部を螺合させた調整ネジが備えられていることを特徴とする請求項１又は請求項３記載の扉板の吊り下げ装置。
【請求項５】
保持凹部の入り口縁とロック片との間にあるこの保持凹部の左右側壁および下壁が、入り口縁に向かうに連れて保持凹部を徐々に広げさせるように傾斜した傾斜面を有していることを特徴とする請求項１又は請求項４記載の扉板の吊り下げ装置。
【発明の詳細な説明】
【技術分野】
【０００１】
この発明は、折り畳み扉などを構成する扉板を、上部レールに沿って移動可能にこの上部レールに吊り下げ状に支持させるために用いられる吊り下げ装置の改良に関する。
【背景技術】
【０００２】
ガイドレールに組み込まれるガイドローラを備えたケース体と、扉板に固定されるベースカップ体とからなり、このベースカップ体の嵌合凹部にケース体をはめ込むことに伴ってケース体に形成された嵌合突体の係合段部をベースカップ体の嵌合凹部内に形成された係止段部に係止させてこのはめ込み状態を維持し、もって、取り付け装置を介してガイドレールに扉板を吊り下げ状に支持するようにしたものとして、特許文献１に示されるものがある。
【０００３】
しかるに、かかる取り付け装置は、前記はめ込み状態の維持をケース体の嵌合突体によらしめさせているため、ベースカップ体の嵌合凹部へのケース体のはめ込みに方向性を有するものであった。すなわち、ケース体の嵌合突体がベースカップ体へのこのケース体の入れ込み方向に沿った向きに配されるようにケース体を位置づけさせた状態でしかベースカップ体の嵌合凹部にケース体をはめ込み得ないものであった。
【特許文献１】特許第３３６７７６５号公報
【発明の開示】
【発明が解決しようとする課題】
【０００４】
この発明が解決しようとする主たる問題点は、折り畳み扉などを構成する扉板を上部レールに沿って移動可能にこの上部レールに吊り下げ状に支持させるために用いられるこの種の装置において、上部レールに組み込まれるランナーと扉板側に取り付けられるランナーホルダーとを、容易かつ適切に組み付け合わすことができるようにする点にある。
【課題を解決するための手段】
【０００５】
前記問題点を解決するために、この発明にあっては、扉板の吊り下げ装置を以下の（１）〜（６）の構成を備えたものとした。
（１）折り畳み扉などを構成する扉板を、上部レールに沿って移動可能にこの上部レールに吊り下げ状に支持させる装置であって、
（２）ランナーと、ランナーホルダーとを備えており、
（３）ランナーは、
上部レール内に走行可能に入れ込まれるランナー本体と、
このランナー本体の下部から下方に突き出すように設けられる吊り下げ軸とを有しており、
（４）この吊り下げ軸の下端部には頭部が形成されていると共に、
この吊り下げ軸の軸線を中心として吊り下げ軸又は頭部が回転可能とされており、
（５）ランナーホルダーは、
扉板への取り付け部と、
前方から吊り下げ軸の頭部を受け入れる保持凹部と、
溝前端を開放させると共に、保持凹部の上部に連通した吊り下げ軸の頭部の太さよりも溝巾を狭くした吊り下げ軸の通し溝とを備えており、
（６）しかも、保持凹部内には、この保持凹部内への吊り下げ軸の頭部の入れ込みに伴ってこの頭部に突き当てられて一旦保持凹部の外方に向けて後退した後、この保持凹部内に頭部を入れ込み切った位置でこの後退前の位置に弾発状に戻されてこの頭部における保持凹部の入り口側に向けられた側に掛合されるロック片が備えられている。
【０００６】
かかる構成によれば、扉板に取り付け部をもってランナーホルダーを取り付け、かつ、上部レールにランナー本体をこの上部レールに沿って走行可能に組み込ませた後、この上部レールから下方に突き出される吊り下げ軸の頭部をランナーホルダーの保持凹部に入れ込ませることにより、扉板を上部レールに吊り下げ装置を介してこの上部レールに沿って移動可能な状態で吊り下げ状にワンタッチで支持させることができる。
【０００７】
すなわち、吊り下げ軸は、その頭部を保持凹部内に入れ込ませた状態で、通し溝に通されることから、この頭部は保持凹部内から上方に抜け出すことがなく、また、この頭部における保持凹部の入り口側に向けられた側にロック片が掛合されることから、この頭部は保持凹部内から前方に抜け出すこともない。
【０００８】
また、かかる吊り下げ軸又は頭部は、この吊り下げ軸の軸線を中心として回転可能とされていることから、上部レールに吊り下げられた扉板が折り畳み扉を構成する扉板である場合であっても、この折り畳み扉の折り畳み動作が妨げられることはない。従ってまた、折り畳み扉を構成する二枚の扉板のヒンジによる連結側と反対の側にそれぞれランナーホルダーを備え付けさせた場合には、二枚の扉板の一方を吊り下げるランナーのランナー本体と、これらの他方を吊り下げるランナーのランナー本体とを、この二枚の扉板のヒンジによる連結側と反対の側で挟み付け突き当て合わせるように、この二枚の扉板を閉じ操作することによって、この二枚の扉板のランナーホルダーにそれぞれ対応するランナーの吊り下げ軸を同時に入れ込み保持させるようにすることもできる。
【０００９】
また、ロック片は保持凹部側に設けられていることから、吊り下げ軸又はその頭部は前記のように回転可能ではあるが、この吊り下げ軸又は頭部がどの回転位置にあっても、保持凹部に対してこの頭部を入れ込ませるだけでこの頭部にロック片を掛合させてこの頭部を保持させることができ、上部レールに対する扉板の吊り下げ作業を容易かつ円滑に行なえるようにすることができる。すなわち、ランナーの吊り下げ軸の頭部のランナーホルダーの保持凹部への入れ込みに方向性を生じさせることがない。
【００１０】
前記ランナーホルダーが、ホルダーベースと、このホルダーベースに設けられたスライド凹部内に上下方向にスライド移動可能に組み込まれたスライダとを有しており、
このホルダーベースに扉板への取り付け部が設けられ、
このスライダに保持凹部と通し溝とが設けられており、
しかも、ホルダーベースのスライド凹部の左右側壁にそれぞれ、セットアップ用掛合部と、このセットアップ用掛合部よりも上方に位置されるプレセット用掛合部とが設けられていると共に、
スライダの左右外側部にそれぞれ、プレセット用掛合部に掛合されると共に、スライダの下方への押し込みによってこの掛合を一旦解いた後セットアップ用掛合部に掛合されて吊り下げ状に支持された扉板の下端レベルを上昇させる被掛合部が設けられているようにしておくこともある。
【００１１】
このようにした場合、扉板の下端を床面などに接しさせた状態でランナーホルダの保持凹部にランナーの吊り下げ軸の頭部を入れ込ませ、吊り下げ装置を介して上部レールに扉板を接合させた後、プレセット用掛合部に被掛合部を掛合させていたスライダを下方に移動させてこの被掛合部をセットアップ用掛合部に掛合させ直すように扉板を持ち上げることで、扉板の下端と床面などとの間に前記接合の後に適切にクリアランスを作り出させることができる。すなわち、扉板を持ち上げながら前記接合をなす必要がなく、この接合作業を容易に行うことができる。
【００１２】
前記ランナーのランナー本体内に、
このランナー本体内に回転可能に保持されると共に、吊り下げ軸の上端部に形成された雄ネジ部に螺合してこの吊り下げ軸を支持するナット体と、
下方からの操作によって回転されると共に、この回転によってナット体を連れ回りさせて吊り下げ軸を昇降させる回転操作体とを組み込ませておくこともある。
【００１３】
このようにした場合、ランナーホルダーの保持凹部にランナーの吊り下げ軸の頭部を入れ込み保持させて上部レールに扉板を吊り下げさせた状態から、吊り下げられた扉板の下端と床などとの間のクリアランスを容易に微調整させることができる。
【００１４】
前記ランナーホルダーが、ホルダーベースと、このホルダーベースに設けられたスライド凹部内に上下方向にスライド移動可能に組み込まれたスライダとを有しており、
このホルダーベースに扉板への取り付け部が設けられ、
このスライダに保持凹部と通し溝とが設けられており、
しかも、ホルダーベースに、このホルダーベースの下部にネジ頭を臨ませた状態でこのホルダーベースの下部に回転可能に支持されると共に、スライダに形成されたネジ穴に軸部を螺合させた調整ネジを備えさせておくこともある。
【００１５】
このようにした場合、調整ネジのネジ頭にドライバなどの先端をはめ込んで下方からこの調整ネジを回転操作させることにより、スライダを上下動させることができる。そして、これにより、扉板の下端を床面などに接しさせた状態でランナーホルダーの保持凹部にランナーの吊り下げ軸の頭部を入れ込ませ、吊り下げ装置を介して上部レールに扉板を接合させた後、スライダを下方に移動させて扉板を持ち上げることで、扉板の下端と床面などとの間に前記接合の後に適切にクリアランスを作り出させることができる。すなわち、扉板を持ち上げながら前記接合をなす必要がなく、この接合作業を容易に行うことができる。
【００１６】
前記保持凹部の入り口縁とロック片との間にあるこの保持凹部の左右側壁および下壁が、入り口縁に向かうに連れて保持凹部を徐々に広げさせるように傾斜した傾斜面を有するようにしておくこともある。
【００１７】
このようにした場合、ランナーホルダーの保持凹部に、吊り下げ軸の頭部をスムースに導き入れることができる。
【発明の効果】
【００１８】
この発明にかかる吊り下げ装置によれば、上部レールに組み込まれるランナーと扉板側に取り付けられるランナーホルダーとを、ランナーホルダーの保持凹部へのランナーに設けられた吊り下げ軸の入れ込みの向きに格別の注意を払うことなく、この保持凹部に吊り下げ軸の頭部を入れ込ませることにより、しっかりと組み付け合わせることができ、折り畳み扉などを構成する扉板を上部レールに沿って移動可能にこの上部レールに吊り下げ状に支持させる作業を容易かつ円滑になすことができる。
【発明を実施するための最良の形態】
【００１９】
以下、図１ないし図１４に基づいて、この発明を実施するための最良の形態について説明する。
【００２０】
なお、ここで図１ないし図８は、この発明の実施の形態の一つを、また、図９ないし図１４は、この発明の実施の形態の他の一つを、それぞれ表している。
【００２１】
具体的には、図１は、吊り下げ装置Ｔを構成するランナーホルダー２のホルダーベース２００とスライダ２１０とを分離させた状態として、図２ないし図４は、かかるランナーホルダー２をそれぞれ示しており、また、図５および図６は、吊り下げ装置Ｔを介して上部レールＲに扉板Ｄ’を吊り下げ状に支持させた状態をそれぞれ示しており、特に、図６は、図５の状態からスライダ２１０を下降させて扉板Ｄ’を持ち上げさせた状態を示している。また、図７は、吊り下げ装置Ｔを構成するランナー１の要部を断面にした状態でかかるランナー１を示しており、また、図８は、折り畳み扉Ｄを構成する一対の扉板Ｄ’、Ｄ’を折り畳み動作させながらそれぞれの扉板Ｄ’に取り付けられたランナーホルダー２にランナー１を接続させる様子を理解しやすいように、これらを上方から視て示した構成図である。
【００２２】
また、図９は、吊り下げ装置Ｔを構成するランナーホルダー２を前面側から視た状態として、図１０ないし図１２は、扉板Ｄ’に取り付けられた状態のランナーホルダー２をそれぞれ示しており、また、図１３は、ランナーホルダー２を断面の状態として、それぞれ示している。また、図１４は、折り畳み扉Ｄを構成する一対の扉板Ｄ’、Ｄ’を折り畳み動作させながらそれぞれの扉板Ｄ’に取り付けられたランナーホルダー２にランナー１を接続させる様子を理解しやすいように、これらを上方から視て示した構成図である。
【００２３】
この実施の形態にかかる吊り下げ装置Ｔは、折り畳み扉Ｄなどを構成する扉板Ｄ’を、上部レールＲに沿って移動可能にこの上部レールＲに吊り下げ状に支持させるために用いられるものである。
【００２４】
すなわち、かかる吊り下げ装置Ｔは、建物の開口部やクローゼットの入り口などを閉塞する折り畳み扉Ｄなどを構成する扉板Ｄ’や、部屋の間仕切りを構成する扉板Ｄ’などを、この開口部の上部に設けられた上部レールＲに沿って移動可能なように、この上部レールＲに吊り下げ状に支持させるために用いられるものである。
【００２５】
かかる吊り下げ装置Ｔは、ランナー１と、ランナーホルダー２とを備えている。
【００２６】
ランナー１は、
上部レールＲ内に走行可能に入れ込まれるランナー本体１０と、
このランナー本体１０の下部から下方に突き出すように設けられる吊り下げ軸１２とを有している。
【００２７】
また、このランナー本体１０の吊り下げ軸１２の下端部には頭部１３が形成されていると共に、この吊り下げ軸１２の軸線を中心として吊り下げ軸１２又は頭部１３が回転可能とされいる。
【００２８】
一方、ランナーホルダー２は、
扉板Ｄ’への取り付け部２０と、
前方から吊り下げ軸１２の頭部１３を受け入れる保持凹部２１と、
溝前端を開放させると共に、保持凹部２１の上部に連通した吊り下げ軸１２の頭部１３の太さよりも溝巾を狭くした吊り下げ軸１２の通し溝２２とを備えている。
【００２９】
そして、かかる保持凹部２１内には、この保持凹部２１内への吊り下げ軸１２の頭部１３の入れ込みに伴ってこの頭部１３に突き当てられて一旦保持凹部２１の外方に向けて後退した後、この保持凹部２１内に頭部１３を入れ込み切った位置でこの後退前の位置に弾発状に戻されてこの頭部１３における保持凹部２１の入り口側に向けられた側に掛合されるロック片２３が備えられている。
【００３０】
これにより、この実施の形態にかかる吊り下げ装置Ｔによれば、
扉板Ｄ’に取り付け部２０をもってランナーホルダー２を取り付け、かつ、上部レールＲにランナー本体１０をこの上部レールＲに沿って走行可能に組み込ませた後、この上部レールＲから下方に突き出される吊り下げ軸１２の頭部１３をランナーホルダー２の保持凹部２１に入れ込ませることにより、扉板Ｄ’を上部レールＲに吊り下げ装置Ｔを介してこの上部レールＲに沿って移動可能な状態で吊り下げ状にワンタッチで支持させることができる。
【００３１】
すなわち、吊り下げ軸１２は、その頭部１３を保持凹部２１内に入れ込ませた状態で、通し溝２２に通されることから、この頭部１３は保持凹部２１内から上方に抜け出すことがなく、また、この頭部１３における保持凹部２１の入り口側に向けられた側にロック片２３が掛合されることから、この頭部１３は保持凹部２１内から前方に抜け出すこともない。
【００３２】
また、かかる吊り下げ軸１２又は頭部１３は、この吊り下げ軸１２の軸線を中心として回転可能とされていることから、上部レールＲに吊り下げられた扉板Ｄ’が折り畳み扉Ｄを構成する扉板Ｄ’である場合であっても、この折り畳み扉Ｄの折り畳み動作が妨げられることはない。従ってまた、折り畳み扉Ｄを構成する二枚の扉板Ｄ’、Ｄ’のヒンジＤａによる連結側と反対の側にそれぞれランナーホルダー２を備え付けさせた場合には、二枚の扉板Ｄ’、Ｄ’の一方を吊り下げるランナー１のランナー本体１０と、これらの他方を吊り下げるランナー１のランナー本体１０とを、この二枚の扉板Ｄ’、Ｄ’のヒンジＤａによる連結側と反対の側で挟み付け突き当て合わせるように、この二枚の扉板Ｄ’、Ｄ’を閉じ操作することによって、この二枚の扉板Ｄ’、Ｄ’のランナーホルダー２にそれぞれ対応するランナー１の吊り下げ軸１２を同時に入れ込み保持させるようにすることもできる。（図８、図１４）
【００３３】
また、ロック片２３は保持凹部２１側に設けられていることから、吊り下げ軸１２又はその頭部１３は前記のように回転可能ではあるが、この吊り下げ軸１２又は頭部１３がどの回転位置にあっても、保持凹部２１に対してこの頭部１３を入れ込ませるだけでこの頭部１３にロック片２３を掛合させてこの頭部１３を保持させることができ、上部レールＲに対する扉板Ｄ’の吊り下げ作業を容易かつ円滑に行なえるようにすることができる。すなわち、ランナー１の吊り下げ軸１２の頭部１３のランナーホルダー２の保持凹部２１への入れ込みに方向性を生じさせることがない。
【００３４】
こうした観点からは、ランナー１の吊り下げ軸１２の頭部１３は、吊り下げ軸１２の軸線上に軸線を位置させるようにこの吊り下げ軸１２に設けられた円盤状体、円柱状体、水平断面を正四角形などの正多角形とした板状体や柱状体、あるいはまた、球中心を吊り下げ軸１２の軸線上に位置させた球状体によって構成させることが最適とされる。
【００３５】
（第一実施例）
図１ないし図８は、かかる吊り下げ装置Ｔの具体的な構成例の一つを示している。
【００３６】
この例にあっては、ランナー１は、細長いブロック状をなすランナー本体１０を有しており、このランナー本体１０の長さ方向を上部レールＲの延長方向に沿わせるようにして、この上部レールＲ内にランナー本体１０を入れ込ませて上部レールＲに走行可能に組み込まれるようになっている。
【００３７】
この例にあっては、上部レールＲは、開放部を下方に向けた断面略コ字状をなす主体部Ｒａと、この主体部Ｒａの両開放部縁からそれぞれ内方に突き出すレール部Ｒｂとを有している。そして、左右のレール部Ｒｂ、Ｒｂの間に形成された隙間Ｒｃを通じてランナー本体１０に設けられた吊り下げ軸１２が下方に突き出されるようになっている。
【００３８】
また、この例にあっては、吊り下げ軸１２はランナー本体１０の長さ方向ほぼ中程の位置から下方に向けて突き出されていると共に、その両端部にそれぞれ、左右一対の車輪１１、１１を有しており、この車輪１１をもってランナー本体１０は上部レールＲのレール部Ｒｂ上を走行するようになっている。
【００３９】
また、この例にあっては、ランナー１のランナー本体１０内に、
このランナー本体１０内に回転可能に保持されると共に、吊り下げ軸１２の上端部に形成された雄ネジ部１１０に螺合してこの吊り下げ軸１２を支持するナット体１００と、
下方からの操作によって回転されると共に、この回転によってナット体１００を連れ回りさせて吊り下げ軸１２を昇降させる回転操作体１０２とが組み込まれている。
【００４０】
具体的には、この例にあっては、ランナー本体１０の下部に、前記上部レールＲの隙間Ｒｃ内に納まるランナー本体１０の長さ方向に長く続く隆起部１０５が形成されていると共に、この隆起部１０５内に鉛直方向にナット中心軸を配するようにして回転可能にナット体１００が保持組み込まれている。そして、このように組み込まれたナット体１００に吊り下げ軸１２の上端部がネジ付け通されている。ランナー本体１０の内部であって、ナット体１００の保持位置よりも上方には、吊り下げ軸１２の移動用空間１０６が形成されている。また、隆起部１０５の一端側には、鉛直方向に回転軸を配するようにしてこの隆起部１０５内に回転可能に保持組み付けられた回転操作体１０２が備えられている。この回転操作体１０２は、隆起部１０５の下面に軸下端を露出させていると共に、露出端にドライバの先端のはめ込み凹部１０３を有している。それと共に、この例にあっては、回転操作体１０２の外面にギア部１０４が形成され、かつ、ナット体１００の外面にギア部１０１が形成されており、さらに、この回転操作体１０２とナット体１００との間に、回転操作体１０２のギア部１０４に噛み合う第一ギア１０７と、この第一ギア１０７とナット体１００のギア部１０１とに共に噛み合う第二ギア１０８とが配されている。この第一ギア１０７および第二ギア１０８も回転軸を鉛直方向に配するように前記隆起部内に保持組み付けられている。これにより、この例にあっては、回転操作体１０２のはめ込み凹部１０３にドライバなどの先端をはめ込んで下方からこの回転操作体１０２を回転操作させることにより、ナット体１００を回転させて、このナット体１００の回転によって吊り下げ軸１２を上下に螺動させることができ、これにより、ランナー本体１０の下部からの吊り下げ軸１２の突き出し寸法を微調整できるようになっている。この突き出し寸法が大きくなればなるほど扉板Ｄ’は下降し、突き出し寸法が小さくなればなるほど扉板Ｄ’は上昇されることとなる。
【００４１】
この結果、この例にあっては、ランナーホルダー２の保持凹部２１にランナー１の吊り下げ軸１２の頭部１３を入れ込み保持させて上部レールＲに扉板Ｄ’を吊り下げさせた状態から、吊り下げられた扉板Ｄ’の下端と床などとの間のクリアランスを容易に微調整させることができる。
【００４２】
また、この例にあっては、吊り下げ軸１２の頭部１３は、吊り下げ軸１２の下端部に、この吊り下げ軸１２の軸線を中心として回転可能にこの吊り下げ軸１２に備え付けられた円盤状体として構成されている。具体的には、この例にあっては、吊り下げ軸１２の下端部に円板体１１１が形成されていると共に、吊り下げ軸１２に通されてこの円板体１１１の上面にカラー下面１１３を突き当て、かつ、この円板体１１１の縁部を側方から覆う周回立ち上がり部１１４をカラー下部に備えたカラー１１２によって吊り下げ軸１２の頭部１３を形成させている。すなわち、吊り下げ軸１２の軸線を中心としてかかるカラー１１２が回転されるようになっている。
【００４３】
一方、この例にあっては、ランナーホルダー２は、ホルダーベース２００と、このホルダーベース２００に設けられたスライド凹部２０１内に上下方向にスライド移動可能に組み込まれたスライダ２１０とから構成されている。
【００４４】
そして、かかるホルダーベース２００に扉板Ｄ’への取り付け部２０が設けられると共に、かかるスライダ２１０に保持凹部２１と通し溝２２とが設けられている。
【００４５】
この例にあっては、ホルダーベース２００は、筒一端を開放させ、この開放された筒一端側を前面とした筒状部２０２と、この筒状部２０２の開放部２０２ａの上縁を除く縁部を巡るように続き、かつ、この縁部から側方に張り出したフランジ部２０３とを有している。そして、かかる筒状部２０２の内部がスライド凹部２０１として機能するようになっている。
【００４６】
かかるフランジ部２０３には、止めネジの差し込み穴２０４が形成されており、扉板Ｄ’の上部に形成されたホルダーベース２００の筒状部２０２を納める大きさの取り付け凹部Ｄｂに対し、かかる筒状部２０２をこの扉板Ｄ’の板面にフランジ部２０３の裏面が突き当てられる位置まで入れ込ませた後、前記差し込み穴２０４を通じて止めネジを扉板Ｄ’に止着させることにより、扉板Ｄ’にホルダーベース２００が、つまりは、ランナーホルダー２が取り付けられるようになっている。すなわち、図示の例にあっては、かかるフランジ部２０３が前記取り付け部２０として機能されるようになっている。前記取り付け凹部Ｄｂは、典型的には、扉板Ｄ’の上部においてこの扉板Ｄ’の鉛直方向にある一面において開放されるように形成される。また、扉板Ｄ’の上端面には、この取り付け凹部Ｄｂに連通する割溝Ｄｃが形成される。
【００４７】
そして、筒状部２０２の上部には、この筒状部２０２の内部に連通すると共に、この筒状部２０２の開放部において外方に連通した割溝２０２ｂが形成されており、この割溝２０２ｂが前記扉板Ｄ’に形成された割溝Ｄｃに連通されるようになっている。
【００４８】
一方、スライダ２１０は、前後寸法を、ホルダーベース２００のスライド凹部２０１の深さとほぼ等しくすると共に、
左右寸法を、このスライド凹部２０１を形作る左右側壁２０１ａ、２０１ａ間の寸法とほぼ等しくし、
かつ、上下寸法を、スライド凹部２０１を形作る上壁２０１ｂと下壁２０１ｃとの間の寸法よりも小さくするように構成されたスライダ主体２１１を有している。
【００４９】
このスライダ主体２１１の前面の左右両縁部および下縁部には、これらの縁部から側方に張り出すフランジ２１２が形成されており、スライダ２１０はこのフランジ２１２の背面をホルダーベース２００の前面に突き当てるようにしてスライド凹部２０１に前方から入れ込まれるようになっている。
【００５０】
かかるスライダ主体２１１の前面略中央部に、前記保持凹部２１がこのスライダ２１０の背面に向けて窪み込むように形成されている。図示の例にあっては、かかる保持凹部２１は、凹部上壁２１ａと凹部下壁２１ｂとの間の間隔を前記円盤状をなす頭部１３の厚さと略等しいか、これよりやや大きくするように構成されていると共に、凹部左右側壁２１ｃ、２１ｃ間の間隔をこの頭部１３の直径と略等しいか、これよりやや大きくするように構成されている。また、保持凹部２１の内奥部の内壁２１ｄを、前記頭部１３の円弧に沿うように湾曲させている。また、かかるスライダ主体２１１の上部に前記通し溝２２が形成されている。また、図示の例にあっては、この通し溝２２の縁と保持凹部２１の入り口縁とが、外方に突き出すリブ２１３によって縁取られている。図示の例では、保持凹部２１の入り口を縁取るリブ２１３の内面がリブ２１３の突き出し端に向かうに連れて外広がり状に傾斜した傾斜面２１３ａとなっており、保持凹部２１への頭部１３の入れ込みをし易いようにしてある。
【００５１】
また、図示の例にあっては、前記保持凹部２１の凹部下壁２１ｂにロック片２３の突き出し開口２１４が形成されており、この突き出し開口２１４を通じてロック片２３が保持凹部２１内に突き出されるようになっている。
【００５２】
図示の例では、かかるロック片２３は、保持凹部２１の凹部下壁２１ｂの下方に形成された動作空間２１５内にバネ２１６によって常時上方に向けて付勢された状態で上下動可能に組み込まれたプレート体２１７の後端部の上部に形成されている。また、図示の例にあっては、スライダ主体２１１の前面においてこの動作空間２１５は開放されており、プレート体２１７の前端部２１７ａがこのスライダ主体２１１の前面から前方に突き出されるようになっている。図示の例にあっては、このプレート体２１７の前端部２１７ａを把持して前記バネ２１６の付勢に抗してプレート体２１７を下方に押し込ませることにより、ロック片２３を下方に引き込ませて、頭部１３へのロック片２３の掛合を解くことができるようになっている。これにより、一旦吊り下げ装置Ｔを介して上部レールＲに吊り下げ状に支持させた扉板Ｄ’の取り外しも容易に行えるようになっている。
【００５３】
図示の例では、ロック片２３の背面部２３ａと保持凹部２１の内奥部の内壁２１ｄとの間に前記頭部１３がほぼガタなく納まるようになっている。このロック片２３の背面部２３ａも頭部１３の円弧に沿うように湾曲されている。また、ロック片２３の前面部２３ｂは、ロック片２３の頂部２３ｃに向かうに連れて次第にロック片２３の前後寸法を狭める向きに傾斜した傾斜面を有している。これにより、図示の例にあっては、スライダ主体２１１の前面側から保持凹部２１内に吊り下げ軸１２の頭部１３を入れ込ませるにあたってこの頭部１３へのロック片２３の前面部２３ｂの突き当たりにより前記バネ２１６の付勢に抗してロック片２３をスムースに下方に押し下げることができると共に、このように押し下げられたロック片２３の頂部２３ｃより先に頭部１３における保持凹部２１の入り口側に向けられた側部が入り込んだ位置で前記付勢によりロック片２３を再び突き出させ、このように突き出されたロック片２３によって保持凹部２１の内奥部において前記頭部１３を安定的に保持するようになっている。
【００５４】
また、この例にあっては、前記ホルダーベース２００のスライド凹部２０１の左右側壁２０１ａ、２０１ａにそれぞれ、セットアップ用掛合部２０５と、このセットアップ用掛合部２０５よりも上方に位置されるプレセット用掛合部２０６とが設けられていると共に、
スライダ２１０の左右外側部にそれぞれ、プレセット用掛合部２０６に掛合されると共に、スライダ２１０の下方への押し込みによってこの掛合を一旦解いた後セットアップ用掛合部２０５に掛合されて吊り下げ状に支持された扉板Ｄ’の下端のレベルを上昇させる被掛合部２１８が設けられている。
【００５５】
図示の例にあっては、セットアップ用掛合部２０５は、スライド凹部２０１を構成する筒状部２０２の左右側壁２０１ａ、２０１ａにそれぞれ形成されたこの筒状部２０２の筒軸方向に長い、つまり、前後方向に長い割溝２０５ａとして構成されている。左右の割溝２０５ａ、２０５ａは同じレベルに位置されている。
【００５６】
また、プレセット用掛合部２０６は、スライド凹部２０１を構成する筒状部２０２の左右側壁２０１ａ、２０１ａにそれぞれ形成されたこの筒状部２０２の筒軸方向に長い、つまり、前後方向に長い溝２０６ａとして構成されている。左右の溝２０６ａ、２０６ａは同じレベルに位置されている。
【００５７】
一方、図示の例にあっては、被掛合部２１８は、スライダ主体２１１の保持凹部２１の形成レベルよりも下方において、このスライダ主体２１１の左右外側部から外方に長さ方向に沿った一側部２１８ｃをバネ２１１ｃの付勢によって突き出させる棒状掛合体２１８ａによって構成されている。
【００５８】
具体的には、図示の例にあっては、スライダ主体２１１の左右にそれぞれ、前後方向に延びる溝２１１ａが形成されていると共に、スライダ主体２１１の背面側において、この左右の溝２１１ａ、２１１ａにそれぞれ連通したバネ収容空間２１１ｂが形成されており、この溝２１１ａに長さ方向に沿った他側部に納めた一方の棒状掛合体２１８ａの後端部にかかるバネ２１１ｃの一端が常時押し当てられ、かつ、他方の棒状掛合体２１８ａの後端部にかかるバネ２１１ｃの他端が常時押し当てられるようになっている。棒状掛合体２１８ａは、このバネ２１１ｃの付勢によって前記一側部２１８ｃをスライダ主体２１１の外側部から突き出した位置から先には外れ出さないように前記溝２１１ａに掛合されていると共に、この溝２１１ａは前記付勢に抗して前記一側部２１８ｃをこの溝２１１ａ内に納める棒状掛合体２１８ａの後退移動を可能とする深さを持つように形成されている。また、棒状掛合体２１８ａの前端部２１８ｂは、スライダ主体２１１の前面から前方に突き出されており、左右の棒状掛合体２１８ａ、２１８ａの前端部２１８ｂを同時に把持することによりバネ２１１ｃの付勢に抗して左右の棒状掛合体２１８ａ、２１８ａを同時に後退移動操作させることができるようになっている。
【００５９】
そして、図示の例にあっては、スライダ２１０の左側の棒状掛合体２１８ａの一側部２１８ｃをホルダーベース２００の左側のプレセット用掛合部２０６となる溝２０６ａに納め、かつ、スライダ２１０の右側の棒状掛合体２１８ａの一側部２１８ｃをホルダーベース２００の右側のプレセット用掛合部２０６となる溝２０６ａに納めた状態から、（図４、図５）左右の棒状掛合体２１８ａ、２１８ａを共に前記付勢に抗して後端移動させながらスライダ２１０を下方に移動させ切ると、この付勢によりスライダ２１０の左側の棒状掛合体２１８ａの一側部２１８ｃがホルダーベース２００の左側のセットアップ用掛合部２０５となる割溝２０５ａに入り込み、かつ、スライダ２１０の右側の棒状掛合体２１８ａの一側部２１８ｃがホルダーベース２００の右側のセットアップ用掛合部２０５となる割溝２０５ａに入り込み、このスライダ２１０の下方に移動され切った状態が維持されるようになっている。（図６）
【００６０】
これにより、この例にあっては、扉板Ｄ’の下端を床面などに接しさせた状態でランナー１ホルダの保持凹部２１にランナー１の吊り下げ軸１２の頭部１３を入れ込ませ、吊り下げ装置Ｔを介して上部レールＲに扉板Ｄ’を接合させた後、プレセット用掛合部２０６に被掛合部２１８を掛合させていたスライダ２１０を下方に移動させてこの被掛合部２１８をセットアップ用掛合部２０５に掛合させ直すように扉板Ｄ’を持ち上げることで、扉板Ｄ’の下端と床面などとの間に前記接合の後に適切にクリアランスを作り出させることができる。すなわち、扉板Ｄ’を持ち上げながら前記接合をなす必要がなく、この接合作業を容易に行うことができる。
【００６１】
なお、図示の例にあっては、棒状掛合体２１８ａの前記のように突き出される一側部２１８ｃの上部が水平な掛合面２１８ｄとなっている反面、この一側部２１８ｃの下部が上方に向かうに連れて次第にこの一側部２１８ｃの突き出し量を大きくするように傾斜した傾斜面２１８ｅとなっており、プレセット用掛合部２０６となる溝２０６ａからの棒状掛合体２１８ａの下方への抜き出しがこの傾斜面２１８ｅの傾斜によりスムースになされるようにしてあると共に、セットアップ用掛合部２０５となる割溝２０５ａに一旦入り込んだ棒状掛合体２１８ａがこの割溝２０５ａから予期せず上方に抜き出てしまうことがないようになっている。
【００６２】
（第二実施例）
図９ないし図１４は、かかる吊り下げ装置Ｔの具体的な構成例の他の一つを示している。
【００６３】
この例にあっても、ランナー１は、細長いブロック状をなすランナー本体１０を有しており、このランナー本体１０の長さ方向を上部レールＲの延長方向に沿わせるようにして、この上部レールＲ内にランナー本体１０を入れ込ませて上部レールＲに走行可能に組み込まれるようになっている。
【００６４】
この例にあっても、上部レールＲは、開放部を下方に向けた断面略コ字状をなす主体部Ｒａと、この主体部Ｒａの両開放部縁からそれぞれ内方に突き出すレール部Ｒｂとを有している。そして、左右のレール部Ｒｂ、Ｒｂの間に形成された隙間Ｒｃを通じてランナー本体１０に設けられた吊り下げ軸１２が下方に突き出されるようになっている。
【００６５】
また、この例にあっては、吊り下げ軸１２はランナー本体１０の長さ方向ほぼ中程の位置から下方に向けて突き出されていると共に、その両端部にそれぞれ、左右一対の車輪１１、１１を有しており、この車輪１１をもってランナー本体１０は上部レールＲのレール部Ｒｂ上を走行するようになっている。
【００６６】
また、この例にあっては、吊り下げ軸１２は、上端にフランジ１３０を有しており、ランナー本体１０の内部に形成されたこのフランジ１３０の引っかけ空間１２０内にこのフランジ１３０を納めた状態でこの引っかけ空間１２０に続く貫通穴１２１を通じてランナー本体１０の下部から下方に突き出されている。この例にあっては、かかる貫通穴１２１の穴軸線を回転中心として吊り下げ軸１２が回転されるようになっている。
【００６７】
また、この例にあっては、吊り下げ軸１２の頭部１３は、吊り下げ軸１２の下端部に、この吊り下げ軸１２の軸線上に軸線を位置させるようにこの吊り下げ軸１２に設けられた水平断面を正四角形とした柱状体として構成されている。
【００６８】
一方、この例にあっても、ランナーホルダー２は、ホルダーベース２２０と、このホルダーベース２２０に設けられたスライド凹部２２１内に上下方向にスライド移動可能に組み込まれたスライダ２３０とから構成されている。
【００６９】
そして、かかるホルダーベース２２０に扉板Ｄ’への取り付け部２０が設けられると共に、かかるスライダ２３０に保持凹部２１と通し溝２２とが設けられている。
【００７０】
この例にあっては、ホルダーベース２２０は、プレート体２２２と、このプレート体２２２の上部に形成された開放部２２３に開放された筒一端を連通させるようにして、このプレート体２２２の背面に一体に連接された筒状部２２４とを有している。プレート体２２２の前面にはさらに、上下方向に長い略長方形状をなす内外郭形状を持った枠状隆起部２２５が形成されており、前記開放部２２３はこの枠状隆起部２２５内に位置されている。筒状部２２４の上部はこの枠状隆起部２２５の上部に連続している。そして、この例にあっては、かかる筒状部２２４の内部と前記開放部２２３の下方に位置される枠状隆起部２２５の内側とが前記スライド凹部２２１として機能するようになっている。
【００７１】
かかるプレート体２２２における枠状隆起部２２５の外側に位置される箇所には、止めネジの差し込み穴２２６が形成されており、扉板Ｄ’の上部に形成されたホルダーベース２２０の筒状部２２４を納める大きさの取り付け凹部Ｄｂに対し、かかる筒状部２２４をこの扉板Ｄ’の板面にプレート体２２２の裏面が突き当てられる位置まで入れ込ませた後、前記差し込み穴２２６を通じて止めネジを扉板Ｄ’に止着させることにより、扉板Ｄ’にホルダーベース２２０が、つまりは、ランナーホルダー２が取り付けられるようになっている。すなわち、図示の例にあっては、かかるプレート体２２２が前記取り付け部２０として機能されるようになっている。前記取り付け凹部Ｄｂは、典型的には、扉板Ｄ’の上部においてこの扉板Ｄ’の鉛直方向にある一面において開放されるように形成される。また、扉板Ｄ’の上端面には、この取り付け凹部Ｄｂに連通する割溝Ｄｃが形成される。
【００７２】
そして、筒状部２２４の上部には、この筒状部２２４の内部に連通すると共に、この筒状部２２４の上部に続く枠状隆起部２２５の上部の前端において外方に連通した割溝２２４ａが形成されており、この割溝２２４ａが前記扉板Ｄ’に形成された割溝Ｄｃに連通されるようになっている。
【００７３】
一方、スライダ２３０は、板体２３１と、この板体２３１の上部に形成された開放部２３２に開放された筒一端を連通させるようにして、この板体２３１の背面に一体に連接された筒状体２３３とを有している。
【００７４】
スライダ２３０の板体２３１は、左右寸法を、前記枠状隆起部２２５の左右枠内寸法とほぼ等しくし、
かつ、上下寸法を、この枠状隆起部２２５の上下枠内寸法よりも小さくするように構成されている。
【００７５】
一方、スライダ２３０の筒状体２３３は、左右寸法を、前記ホルダーベース２２０の筒状部２２４の左右内壁２２４ｂ、２２４ｂ間の寸法とほぼ等しくさせ、
かつ、上下寸法を、このホルダーベース２２０の筒状部２２４の上壁２２４ｃと下壁２２４ｄとの間の寸法よりも小さくするように構成されている。
【００７６】
そして、この例にあっては、スライダ２３０は、ホルダーベース２２０の筒状部２２４内にスライダ２３０の筒状体２３３を閉塞された筒端を先にして前方から入れ込ませ、かつ、ホルダーベース２２０の枠状隆起部２２５内にスライダ２３０の板体２３１を前方から入れ込ませることにより、ホルダベースの枠状隆起部２２５の左右枠部を案内にした上下動可能な状態で、ホルダーベース２２０に組み合わされている。
【００７７】
なお、図示の例にあっては、ホルダーベース２２０の筒状部２２４の左右内壁に形成された上下方向に長い窓穴２２４ｅに前記入れ込みに伴ってスライダ２３０の筒状体２３３の左右外側部に形成された抜け止め突起２３３ａが掛合されると共に、
ホルダーベース２２０の枠状隆起部２２５の左右枠部においてそれぞれこの左右枠部の上下方向ほぼ中程の位置に形成された、この左右枠部の基部から突き出し端側に向けて窪み込んだ凹所２２５ａの奥面に、前記入れ込みに伴ってスライダ２３０の板体２３１の左右外端部に形成された抜け止め突起２３１ｄが掛合されるようになっており、
前記のようにホルダーベース２２０に組み合わされたスライダ２３０のこの組み合わせ状態をこれらの掛合によって安定的に維持するようになっている。
【００７８】
そして、この例にあっては、スライダ２３０の筒状体２３３の内部が前記保持凹部２１として機能されるようになっている。
【００７９】
図示の例にあっては、かかる保持凹部２１は、凹部上壁２１ａと凹部下壁２１ｂとの間の間隔を前記四角柱状をなす頭部１３の長さ寸法と略等しいか、これよりやや大きくするように構成されていると共に、凹部左右側壁２１ｃ、２１ｃ間の間隔をこの頭部１３を構成する背中合わせの向きにある両側面間の寸法と略等しいか、これよりやや大きくするように構成されている。また、保持凹部２１の内奥部の内壁２１ｄを、凹部左右側壁２１ｃ、２１ｃに直交する向きの壁としている。また、かかるスライダ２３０の筒状体２３３の上部に前記通し溝２２が形成されている。
【００８０】
また、図示の例にあっては、前記保持凹部２１の凹部左右側壁２１ｃ、２１ｃにそれぞれロック片２３の突き出し開口２３４が形成されており、この突き出し開口２３４を通じてロック片２３が保持凹部２１内に突き出されるようになっている。
【００８１】
図示の例では、かかるロック片２３は、スライダ２３０の筒状体２３３の側部とホルダーベース２２０の筒状部２２４の左右内壁２２４ｂ、２２４ｂとの間に形成された動作空間２３５内にバネ２３６によって常時スライダ２３０の筒状体２３３内に入り込む向きに向けて付勢された状態で水平方向に移動可能に組み込まれたブロック体２３７の後端部に形成されている。
【００８２】
図示の例では、ロック片２３の背面部２３ａと保持凹部２１の内奥部の内壁２１ｄとの間に前記頭部１３がほぼガタなく納まるようになっている。ロック片２３の前面部２３ｂは、ロック片２３の頂部２３ｃに向かうに連れて次第にロック片２３の前後寸法を狭める向きに傾斜した傾斜面を有している。これにより、図示の例にあっては、スライダ主体２１１の前面側から保持凹部２１内に吊り下げ軸１２の頭部１３を入れ込ませるにあたってこの頭部１３へのロック片２３の前面部２３ｂの突き当たりにより前記バネ２３６の付勢に抗してロック片２３をスムースに側方に押し込むことができると共に、このように押し込まれたロック片２３の頂部２３ｃより先に頭部１３における保持凹部２１の入り口側に向けられた側部が入り込んだ位置で前記付勢によりロック片２３を再び突き出させ、このように突き出されたロック片２３によって保持凹部２１の内奥部において前記頭部１３を安定的に保持するようになっている。
【００８３】
また、この例にあっては、前記ホルダーベース２２０に、このホルダーベース２２０の下部にネジ頭２３８ａを臨ませた状態でこのホルダーベース２２０の下部に回転可能に支持されると共に、スライダ２３０に形成されたネジ穴２３１ｃに軸部２３８ｂを螺合させた調整ネジ２３８が備えられている。
【００８４】
図示の例にあっては、ホルダーベース２２０の枠状隆起部２２５を構成する下枠部２２５ｂに、この下枠部２２５ｂの下端において外方に開放された調整ネジ２３８の入れ込み穴２２５ｃが形成されていると共に、スライダ２３０の板体２３１に、この板体２３１の下端において外方に開放された調整ネジ２３８の入れ込み穴２３１ａが形成されている。そして、枠状隆起部２２５の下枠部２２５ｂの入れ込み穴２２５ｃ内において、調整ネジ２３８の頭部１３が回転可能に保持されるようにしてあると共に、スライダ２３０の板体２３１の入れ込み穴２３１ａにナット内空間を連通させるようにこの板体２３１内に保持されたナット２３１ｂによって構成されたネジ穴２３１ｃにかかる調整ネジ２３８の軸部２３８ｂを螺合させるようにしている。
【００８５】
これにより、この例にあっては、調整ネジ２３８のネジ頭２３８ａにドライバなどの先端をはめ込んで下方からこの調整ネジ２３８を回転操作させることにより、スライダ２３０を上下動させることができる。そして、これにより、扉板Ｄ’の下端を床面などに接しさせた状態でランナーホルダー２の保持凹部２１にランナー１の吊り下げ軸１２の頭部１３を入れ込ませ、吊り下げ装置Ｔを介して上部レールＲに扉板Ｄ’を接合させた後、スライダ２３０を下方に移動させて扉板Ｄ’を持ち上げることで、扉板Ｄ’の下端と床面などとの間に前記接合の後に適切にクリアランスを作り出させることができる。すなわち、扉板Ｄ’を持ち上げながら前記接合をなす必要がなく、この接合作業を容易に行うことができる。
【００８６】
また、この例にあっては、前記保持凹部２１の入り口縁とロック片２３との間にあるこの保持凹部２１の左右側壁２１ｃ、２１ｃおよび下壁２１ｂが、入り口縁に向かうに連れて保持凹部２１を徐々に広げさせるように傾斜した傾斜面２１ｅを有している。
【００８７】
これにより、この例にあっては、ランナーホルダー２の保持凹部２１、つまり、スライダ２３０の保持凹部２１に、吊り下げ軸１２の頭部１３をスムースに導き入れることができるようになっている。
【図面の簡単な説明】
【００８８】
【図１】ランナーホルダー２の分離斜視図
【図２】同正面図
【図３】同側面図
【図４】図２におけるＡ−Ａ線断面図
【図５】吊り下げ装置Ｔの使用状態を示した断面図
【図６】吊り下げ装置Ｔの使用状態を示した断面図（扉板Ｄ’上昇）
【図７】ランナー１の要部断面正面図
【図８】折り畳み扉Ｄを構成する扉板Ｄ’の上部レールＲへの取り付けの仕方の一例を示した平面構成図
【図９】吊り下げ装置Ｔの他の一例を構成するランナーホルダー２を示した斜視図
【図１０】同使用状態を示した正面図
【図１１】同側面図
【図１２】図１０におけるＢ−Ｂ線断面図
【図１３】図１０におけるＣ−Ｃ線相当位置での吊り下げ装置Ｔの断面図
【図１４】折り畳み扉Ｄを構成する扉板Ｄ’の上部レールＲへの取り付けの仕方の一例を示した平面構成図
【符号の説明】
【００８９】
Ｔ  吊り下げ装置
Ｄ’  扉板
Ｒ  上部レール
１  ランナー
１２  吊り下げ軸
１３  頭部
２  ランナーホルダー
２０  取り付け部
２１  保持凹部
２２  通し溝
２３  ロック片
【図１】
2006028833.tif 000003
【図２】
2006028833.tif 000004
【図３】
2006028833.tif 000005
【図４】
2006028833.tif 000006
【図５】
2006028833.tif 000007
【図６】
2006028833.tif 000008
【図７】
2006028833.tif 000009
【図８】
2006028833.tif 000010
【図９】
2006028833.tif 000011
【図１０】
2006028833.tif 000012
【図１１】
2006028833.tif 000013
【図１２】
2006028833.tif 000014
【図１３】
2006028833.tif 000015
【図１４】
2006028833.tif 000016